(57)【要約】【課題】ヘッドレストを着座に不適切な状態で使用している乗員に対して違和感を生じさせる構造を備えていても、ヘッドレストを格納させてシートバックがシートクッションに対して重なり合うようにシートバックを使用可能姿勢から格納姿勢へ切り替えるとき、その切り替え操作を簡便に行うこと。【解決手段】車両用シート１のシートバック２０には、シートバック２０に凭れた乗員に対して干渉することがない第１の位置と、同干渉する第２の位置とに切り替え可能なハンドル６０がシートバック２０に組み付けられている。そして、第１の位置から第２の位置へとハンドル６０を切り替えると、この切り替えに連動してヘッドレスト４０も使用可能姿勢から格納姿勢へと切り替わる。これとは逆に、第２の位置から第１の位置へとハンドル６０を切り替えると、この切り替えに連動してヘッドレスト４０も格納姿勢から使用可能姿勢へと切り替わる。【選択図】図４
2010280347.tif 000002
【特許請求の範囲】
【請求項１】
シートクッションと、シートバックと、ヘッドレストとから構成されており、これらを乗員の着座のための使用可能姿勢と、荷室の確保のための格納姿勢とにそれぞれ切り替え可能な車両用シートであって、
シートバックに凭れた乗員に対して干渉することがない第１の位置と、同干渉する第２の位置とに切り替え可能なハンドルがシートバックに組み付けられており、
第１の位置から第２の位置へとハンドルを切り替えると、この切り替えに連動してヘッドレストも使用可能姿勢から格納姿勢へと切り替わり、
これとは逆に、第２の位置から第１の位置へとハンドルを切り替えると、この切り替えに連動してヘッドレストも格納姿勢から使用可能姿勢へと切り替わることを特徴とする車両用シート。
【請求項２】
請求項１に記載の車両用シートであって、
ハンドルは、ヘッドレストが格納姿勢となるように、シートバックに対して付勢された状態で組み付けられていることを特徴とする車両用シート。
【発明の詳細な説明】
【技術分野】
【０００１】
本発明は、車両用シートに関し、詳しくは、シートクッションと、シートバックと、ヘッドレストとから構成されており、これらを乗員の着座のための使用可能姿勢と、荷室の確保のための格納姿勢とにそれぞれ切り替え可能な車両用シートに関する。
【背景技術】
【０００２】
従来、例えば、車両の３列目シート等において、シートクッションと、シートバックと、ヘッドレストから構成されており、これらを乗員の着座のための使用可能姿勢と、荷室の確保のための格納姿勢とにそれぞれ切り替え可能な車両用シートが既に知られている。このような車両用シートを格納姿勢から使用可能姿勢へと切り替えて（戻して）使用するとき、ヘッドレストを切り替え忘れた状態（着座に不適切な状態）でも使用可能となるため、この着座に不適切な状態で使用している乗員に対して違和感を生じさせる構造が備えられている。ここで、下記特許文献１には、ヘッドレストを格納姿勢から使用可能姿勢へと切り替えると、この切り替えに連動してヘッドレストの背面側からシートバックに凭れた乗員の背中に干渉するように干渉バーが飛び出すことで、着座に不適切な状態で使用している乗員に対して違和感を生じさせる構造が開示されている。また、下記特許文献２には、ヘッドレストの前後に回動可能なバックルがシートバックに組み付けられており、ヘッドレストを格納姿勢から使用可能姿勢へと切り替えるとき、このバックルもシートバックに凭れた乗員の背中に干渉するように下側（シートバックの背凭れ面側）に回動させておくことで、着座に不適切な状態で使用している乗員に対して違和感を生じさせる構造が開示されている。これらにより、着座に不適切な状態でヘッドレストを使用していることを乗員に気付かせることができるため、着座に適切な状態へ切り替えるように（戻すように）ヘッドレストの切り替え（戻し）を促すことができる。結果として、着座に適切な状態でヘッドレストを使用させることができる。
【先行技術文献】
【特許文献】
【０００３】
【特許文献１】特開２００８−１００６４７号公報
【特許文献２】独国特許発明第１０２００４０４０８８３号明細書
【発明の概要】
【発明が解決しようとする課題】
【０００４】
しかしながら、上述した特許文献１では、ヘッドレストを格納姿勢のまま（前倒しさせた状態で）、さらに、シートバックも格納させていくと（シートバックをシートクッションに向けて前倒しさせていくと）、ヘッドレストの背面側から飛び出している干渉バーがシートクッションの表面に干渉してしまうため、シートバックがシートクッションに対して重なり合うようにシートバックを格納させることができなかった。そのため、シートバックの切り替えに支承をきたすことがあった。一方、上述した特許文献２では、上述した特許文献１に生じている問題は解決されているが、ヘッドレストの格納操作と干渉バーの回動操作とは連動していないため、これらの操作を個別に行わなければいけなかった。そのため、乗員にとって、手間を要する操作となっていた。
【０００５】
本発明は、このような課題を解決しようとするもので、その目的は、ヘッドレストを着座に不適切な状態で使用している乗員に対して違和感を生じさせる構造を備えていても、ヘッドレストを格納させてシートバックがシートクッションに対して重なり合うようにシートバックを使用可能姿勢から格納姿勢へ切り替えるとき、その切り替え操作を簡便に行うことができる車両用シートを提供することである。
【課題を解決するための手段】
【０００６】
本発明は、上記の目的を達成するためのものであって、以下のように構成されている。
請求項１に記載の発明は、シートクッションと、シートバックと、ヘッドレストとから構成されており、これらを乗員の着座のための使用可能姿勢と、荷室の確保のための格納姿勢とにそれぞれ切り替え可能な車両用シートであって、シートバックに凭れた乗員に対して干渉することがない第１の位置と、同干渉する第２の位置とに切り替え可能なハンドルがシートバックに組み付けられており、第１の位置から第２の位置へとハンドルを切り替えると、この切り替えに連動してヘッドレストも使用可能姿勢から格納姿勢へと切り替わり、これとは逆に、第２の位置から第１の位置へとハンドルを切り替えると、この切り替えに連動してヘッドレストも格納姿勢から使用可能姿勢へと切り替わることを特徴とする。
この構成によれば、ヘッドレストを着座に不適切な状態（ヘッドレストが格納姿勢のままの状態）で使用している乗員に対して違和感を生じさせることができる。また、ハンドルの回動操作とヘッドレストの切り替え操作とが連動するため、ヘッドレストを格納させてシートバックがシートクッションに対して重なり合うようにシートバックを使用可能姿勢から格納姿勢へ切り替えるとき、その切り替え操作を簡便に行うことができる。
【０００７】
また、請求項２に記載の発明は、請求項１に記載の車両用シートであって、ハンドルは、ヘッドレストが格納姿勢となるように、シートバックに対して付勢された状態で組み付けられていることを特徴とする。
この構成によれば、ハンドルを下方へ回動する操作を行ってヘッドレストを使用可能姿勢から格納姿勢に切り替えるとき、付勢力を利用して切り替えることができる。したがって、ハンドルを下方へ回動する操作力を殆ど不要にすることができる。
【図面の簡単な説明】
【０００８】
【図１】図１は、本発明の実施例１に係る車両用シートの概略斜視図であり、この車両用シートの構成部材を成すシートクッションと、シートバックと、ヘッドレストとのいずれもが使用可能姿勢にあるときを示している。
【図２】図２は、図１におけるハンドルの組み付け構造を示す分解斜視図である。
【図３】図３は、図１において、ヘッドレストを格納姿勢に切り替えた状態を示す図である。
【図４】図４は、本発明の実施例１に係る車両用シートの概略側面図である。
【図５】図５は、図４において、車両用シートを格納姿勢に切り替えた状態を示す図である。
【図６】図６は、本発明の実施例２に係る車両用シートの概略斜視図であり、この車両用シートの構成部材を成すシートクッションと、シートバックと、ヘッドレストとのいずれもが使用可能姿勢にあるときを示している。
【図７】図７は、図６におけるハンドルの組み付け構造を示す分解斜視図である。
【発明を実施するための形態】
【０００９】
以下、本発明を実施するための形態を、図面を参照して説明する。
（実施例１）
まず、本発明の実施例１を、図１〜５を用いて説明する。なお、上述した図２では、シートバック２０の内部を分かり易く示すために、そのクッション構造を省略し内部のフレーム構造のみを示している。また、以下の説明にあたって、上、下、前、後、左、右とは、上述した各図に記載した、上、下、前、後、左、右の方向、すなわち、車両用シート１を基準にしたときの上、下、前、後、左、右の方向を示している。このことは、後述する実施例２においても同様である。
【００１０】
はじめに、本発明の実施例１に係る車両用シート１の概略構成を説明する。この車両用シート１は、例えば、車両の３列目に設けられており、主として、シートクッション１０と、シートバック２０と、ヘッドレスト４０およびハンドル６０とから構成されている。また、この車両用シート１は、ダブルフォールド機能を備えている。そのため、この車両用シート１は、シートクッション１０と、シートバック２０およびヘッドレスト４０とを乗員の着座のための使用可能姿勢（図１に示す状態、図４において、実線に示す状態）と、車両における荷室の確保のための格納姿勢（図５に示す状態）とにそれぞれ切り替え可能となっている。
【００１１】
なお、これらシートクッション１０と、シートバック２０と、ヘッドレスト４０およびダブルフォールド機能は、公知の構成であるため、これらの詳細な説明は省略することとする。そのため、以下において、本発明の特徴部分であるハンドル６０の詳細な構成を説明していく。
【００１２】
このハンドル６０は、略コ字状に形成されているアーム６２と、このアーム６２に固着されている取っ手６４と、この取っ手６４に枢着され略コ字状に形成されているリンク６６とから構成されている（図１、２参照）。アーム６２の両自由端は、互いに向かい合うように折り曲げられて左右一対のブラケット２８、２８にそれぞれ枢着されている。このとき、アーム６２の両自由端は、左右一対のブラケット２８、２８にブッシュ３４、３４を介してそれぞれ枢着されている。
【００１３】
これにより、ガタを生じさせることなく、アーム６２を左右一対のブラケット２８、２８に対してスムーズに回動させることができる。なお、左右一対のブラケット２８、２８は、シートバック２０のバックフレーム２２にボルト３０、３０を介してそれぞれ固着されている。そのため、結果として、アーム６２をシートバック２０に対して、その幅方向にスムーズに回動させることができる。
【００１４】
一方、リンク６６の両自由端は、ヘッドレスト４０のベースフレーム４２の左右にボルト４６、４６を介してそれぞれ枢着されている。このとき、リンク６６の両自由端は、ベースフレーム４２の左右にブッシュ４８、４８を介してそれぞれ枢着されている。これにより、ガタを生じさせることなく、リンク６６をベースフレーム４２に対してスムーズに回動させることができる、すなわち、リンク６６をヘッドレスト４０に対して、その幅方向にスムーズに回動させることができる。
【００１５】
なお、上述したリンク６６を枢着させているボルト４６、４６が露出することがないように、リンク６６の両自由端は、カバー５０、５０によってそれぞれ被われている。また、上述したようにアーム６２に固着されている取っ手６４にリンク６６が枢着されているため、ヘッドレスト４０の前面を跨ぐ格好で取っ手６４を上下に操作すると、ヘッドレスト４０の前面を跨ぐ格好でアーム６２と共にリンク６６も、すなわち、ヘッドレスト４０の前面を跨ぐ格好でハンドル６０を上下に回動させることができる。
【００１６】
そして、ハンドル６０を上方に回動させた位置が、すなわち、ヘッドレスト４０が後述する使用可能姿勢にある位置が、特許請求の範囲に記載の「シートバックに凭れた乗員に対して干渉することがない第１の位置」に相当する。また、これとは逆に、ハンドル６０を下方に回動させた位置が、すなわち、ヘッドレスト４０が後述する格納姿勢にある位置が、特許請求の範囲に記載の「同干渉する第２の位置」に相当する。ハンドル６０は、このように構成されている。
【００１７】
続いて、上述した構成から成る車両用シート１の作用を説明する。この車両用シート１は、既に説明したように、使用可能姿勢と格納姿勢とにそれぞれ切り替え可能となっている。まず、車両用シート１を使用可能姿勢から格納姿勢へと切り替える場合を説明する。はじめに、乗員は、一方のサポート２６（図１、２において、右側のサポート２６）に形成されているツマミ２６ａを操作して、一方のステー４４（図１、２において、右側のステー４４）と一方のサポート２６（図１、２において、右側のサポート２６）とのロック状態を解除する操作を行う。
【００１８】
次に、乗員は、このロック解除の操作を行ったまま、取っ手６４を操作してハンドル６０を下方へ回動する操作を行う。これにより、ヘッドレスト４０も下降していき、ヘッドレスト４０が使用可能姿勢から格納姿勢へと切り替えられる。
【００１９】
次に、乗員は、シートクッション２０に備えられているダブルフォールド機能を作動させるノブ（図示しない）を操作して、シートクッション１０を前方へ跳ね上げる操作を行うと共に、シートバック２０を前倒れさせる操作を行う。これにより、シートクッション１０と共にシートバック２０も使用可能姿勢から格納姿勢へと切り替えられる。このようにして、車両用シート１は使用可能姿勢から格納姿勢へと切り替えられる。そのため、車両における荷室を確保することができる。
【００２０】
次に、これとは逆に、格納姿勢に切り替えた車両用シート１を使用可能姿勢へと切り替える（戻す）場合を説明する。はじめに、乗員は、シートバック２０を後起こしさせる操作を行った後に、シートクッション１０を後方へ倒す操作を行う。これにより、シートクッション１０と共にシートバック２０も格納姿勢から使用可能姿勢へと切り替えられる（戻される）。
【００２１】
次に、乗員は、取っ手６４を操作してハンドル６０を上方へ回動する操作を行う。これにより、ヘッドレスト４０も上昇していき、ヘッドレスト４０が格納姿勢から使用可能姿勢へと戻される。このとき、一方のサポート２６のツマミ２６ａの係止部（図示しない）が一方のステー４４の切欠４４ａに差し込まれるため、一方のステー４４と一方のサポート２６とがロック状態へと戻される。このようにして、車両用シート１は格納姿勢から使用可能姿勢へと切り替えられる（戻される）。そのため、乗員は車両用シート１に着座することができる。
【００２２】
なお、上述した作用の説明のうち、格納姿勢に切り替えた車両用シート１を使用可能姿勢へと切り替える（戻す）場合の説明（後者の説明）において、ヘッドレスト４０を使用可能姿勢に切り替える（戻す）ことなく（ヘッドレスト４０を格納状態のまま）、着座に不適切な状態のままでも、乗員は、ヘッドレスト４０を使用可能姿勢に切り替えた時と略同様に、車両用シート１に着座することができる（図３参照）。
【００２３】
しかしながら、その場合、ハンドル６０（特に、取っ手６４）が着座した乗員の背中に干渉することで、乗員に違和感を生じさせることができる（図４において、想像線に示す状態）。これにより、従来技術における特許文献１、２と同様に、着座に不適切な状態でヘッドレスト４０を使用していることを乗員に気付かせることができるため、着座に適切な状態へ切り替えるように（戻すように）ヘッドレスト４０の切り替え（戻し）を促すことができる。結果として、着座に適切な状態でヘッドレスト４０を使用させることができる。
【００２４】
本発明の実施例１に係る車両用シート１は、上述したように構成されている。この構成によれば、シートバックに凭れた乗員に対して干渉することがない位置（ヘッドレスト４０の使用可能姿勢に相当する位置）と、同干渉する位置（ヘッドレスト４０の格納姿勢に相当する位置）とに切り替え可能なハンドル６０がシートバック２０に組み付けられている。そして、前者の位置から後者の位置へとハンドル６０を切り替えると、この切り替えに連動してヘッドレスト４０も使用可能姿勢から格納姿勢へと切り替わる。これとは逆に、後者の位置から前者の位置へとハンドル６０を切り替えると、この切り替えに連動してヘッドレスト４０も格納姿勢から使用可能姿勢へと切り替わる。そのため、ヘッドレスト４０を着座に不適切な状態（ヘッドレスト４０が格納姿勢のままの状態）で使用している乗員に対して違和感を生じさせることができる。また、ハンドル６０の回動操作とヘッドレスト４０の切り替え操作とが連動するため、ヘッドレスト４０を格納させてシートバック２０がシートクッション１０に対して重なり合うようにシートバック２０を使用可能姿勢から格納姿勢へ切り替えるとき、その切り替え操作を簡便に行うことができる。
【００２５】
（実施例２）
次に、本発明の実施例２を、図６〜７を用いて説明する。この実施例２の車両用シート２は、既に説明した実施例１の車両用シート１と比較すると、ヘッドレスト４０をばね力（トーションばね３２）によって下降させることができる形態である。なお、このばね力の構成以外の構成は、実施例１と同一の構成である。そのため、以降の説明にあたって、実施例１と同一もしくは均等な構成の部材には、図面において、同一符号を付すことで、重複する説明は省略することとする。
【００２６】
図６〜７に示すように、車両用シート２におけるアーム６２の一方の自由端（図６、７において、左側の自由端）は、トーションばね３２を介して一方のブラケット２８（図６、７において、左側のブラケット２８）に枢着されている。このトーションばね３２には、アーム６２の一方の自由端が差し込まれており、その一方側の端部がアーム６２の一方の自由端側に掛け止めされ、同他方側の端部が一方のブラケット２８に掛け止めされている。これにより、常時、アーム６２を前倒れ方向へ付勢させることができる。
【００２７】
次に、車両用シート２の作用を説明する。この車両用シート２でも、実施例１で説明した車両用シート１と同様の作用を得ることができる。ただし、車両用シート２を使用可能姿勢から格納姿勢へ切り替えるために、乗員が一方のサポート２６に形成されているツマミ２６ａを操作して、一方のステー４４と一方のサポート２６とのロック状態を解除する操作を行うと、上述したアーム６２の付勢によってリンク６６も前倒れ方向へ付勢されているため、トーションばね３２の付勢力によってヘッドレスト４０を下降させることができる。そのため、乗員が取っ手６４を操作してハンドル６０を下方へ回動する操作力を殆ど不要にすることができる。この実施例２では、上述したロック解除の操作を行うと、自動的に、ヘッドレスト４０を使用可能姿勢から格納姿勢へと切り替えることができる構成となっている。
【００２８】
本発明の実施例２に係る車両用シート２は、上述したように構成されている。この構成によれば、ハンドル６０は、ヘッドレスト４０が格納姿勢となるように（格納方向に向けて）トーションばね３２によって付勢されている。そのため、ハンドル６０を下方へ回動する操作を行ってヘッドレスト４０を使用可能姿勢から格納姿勢に切り替えるとき、このトーションばね３２の付勢力を利用して切り替えることができる。したがって、ハンドル６０を下方へ回動する操作力を殆ど不要にすることができる。
【００２９】
上述した内容は、あくまでも本発明の一実施の形態に関するものであって、本発明が上記内容に限定されることを意味するものではない。
実施例１、２では、車両用シート１は、ダブルフォールド機能によって使用可能姿勢と格納姿勢とに切り替えられる構成を例に説明した。しかし、これに限定されるものでなく、車両用シート１が使用可能姿勢と格納姿勢とに切り替えられるのであれば、どのような機能で切り替えられても構わない。
【００３０】
また、実施例１、２では、乗員が取っ手６４を操作してハンドル６０を上下に回動させる構成を例に説明した。しかし、これに限定されるものでなく、駆動手段（例えば、モータ）の駆動力によってハンドル６０を上下に回動させる構成でも構わない。その場合、駆動手段の操作スイッチを、車両の３列目だけでなく、車両の１列目にも設けてもよい。そうすると、車両の後方視界を確保する観点から、運転者が３列目の車両用シート１のヘッドレスト４０を容易に下降させることができる。
【００３１】
また、実施例１、２では、ダブルフォールド機能を作動させるノブは、シートクッション２０に備えられている構成を例に説明した。しかし、これに限定されるものでなく、ダブルフォールド機能を作動させるノブは、例えば、荷室に備えられていても構わない。その場合、このノブを操作すると、まず、一方のステー４４と一方のサポート２６とのロック状態の解除が行われ、その後、ダブルフォールド機能が作動するように、ノブと一方のサポート２６とが操作ケーブルによって連結されている。また、その場合、ヘッドレスト４０は、実施例２で説明したように、トーションばね３２の付勢力によって下降する構成となる。このように構成すると、乗員は荷室からも車両用シート１を使用可能姿勢から格納姿勢に切り替えることができる。そのため、利便性を向上させることができる。
【００３２】
また、実施例１、２では、ヘッドレスト４０使用可能姿勢にあるとき、シートバック２０に対して高さ位置を調節できない構成を例に説明した。しかし、これに限定されるものでなく、ヘッドレスト４０使用可能姿勢にあるとき、シートバック２０に対して高さ位置を調節できる構成であっても構わない。その場合、リンク６６の両自由端におけるボルト４６、４６の枢着孔を長孔状に形成すればよい。
【符号の説明】
【００３３】
１      車両用シート
１０    シートクッション
２０    シートバック
４０    ヘッドレスト
６０    ハンドル
【図１】
2010280347.tif 000003
【図２】
2010280347.tif 000004
【図３】
2010280347.tif 000005
【図４】
2010280347.tif 000006
【図５】
2010280347.tif 000007
【図６】
2010280347.tif 000008
【図７】
2010280347.tif 000009